(57)【要約】【課題】画像に応じた最適なスクリーンを所持する画像記録装置を特定することで、該装置からジョブを出力して、高画質な画像を形成することができる出力管理装置、画像形成支援装置、及び画像形成システムを提供する。【解決手段】出力管理部６３０は、印刷ジョブに含まれる画像データを分析して、最適なスクリーンを判別するための画像情報を取得する画像情報取得部６３２と、複数の画像形成装置１１の各々から各装置が所持するスクリーンに関するスクリーン情報を取得する出力装置情報取得部６３４と、得られた画像情報に基づいて該画像の出力に最適なスクリーンを判別すると共に、得られたスクリーン情報に基づいて複数の画像形成装置１１の中から判別されたスクリーンを所持する装置を出力装置として特定する出力装置特定部６３６とを備えている。【選択図】図３
2005267264.tif 000002
【特許請求の範囲】
【請求項１】
画像を記録媒体上に記録する複数の画像記録装置の各々から、各画像記録装置が所持するスクリーンに関するスクリーン情報を取得する出力装置情報取得部と、
印刷ジョブに含まれる画像データを分析して、最適なスクリーンを判別するための画像情報を取得する画像情報取得部と、
前記画像情報に基づいて該画像の出力に最適なスクリーンを判別し、前記スクリーン情報に基づいて複数の画像記録装置の中から判別されたスクリーンを所持する画像記録装置を出力装置として特定する出力装置特定部と、
を備えた出力管理装置。
【請求項２】
前記最適なスクリーンを判別するための画像情報は、ドットの位置情報、解像度、及びオブジェクト種からなる群から選択される少なくとも１種である請求項１に記載の出力管理装置。
【請求項３】
前記スクリーン情報は、スクリーン線数である請求項１又は２に記載の出力管理装置。
【請求項４】
最適なスクリーンを所持する画像記録装置が複数ある場合に、
前記出力装置情報取得部は、該複数の画像記録装置の各々から、現在のスクリーン状態に関する情報を更に取得し、
前記出力装置特定部は、該現在のスクリーン状態に関する情報に基づいて、複数の最適なスクリーンを所持する画像記録装置の中から、スクリーンを切り替えることなく前記印刷ジョブを出力可能な画像記録装置を特定する請求項１乃至３のいずれか１項に記載の出力管理装置。
【請求項５】
最適なスクリーンを所持する画像記録装置が複数ある場合に、
前記出力装置情報取得部は、該複数の画像記録装置の各々から、消耗品に関する情報を更に取得し、
前記出力装置特定部は、該消耗品に関する情報に基づいて、複数の最適なスクリーンを所持する画像記録装置の中から、スクリーンを切り替えることなく前記印刷ジョブを出力可能な画像記録装置を特定する請求項１乃至３のいずれか１項に記載の出力管理装置。
【請求項６】
最適なスクリーンを所持する画像記録装置が複数ある場合に、
前記出力装置情報取得部は、該複数の画像記録装置の各々から、現在のプロセススピードに関する情報を更に取得し、
前記出力装置特定部は、該現在のプロセススピードに関する情報に基づいて、複数の最適なスクリーンを所持する画像記録装置の中から、スクリーンを切り替えることなく前記印刷ジョブを出力可能な画像記録装置を特定する請求項１乃至３のいずれか１項に記載の出力管理装置。
【請求項７】
最適なスクリーンを所持する画像記録装置が複数ある場合に、
前記出力装置情報取得部は、該複数の画像記録装置の各々から、現在の使用頻度あるいは使用状況に関する情報を更に取得し、
前記出力装置特定部は、該現在の使用頻度あるいは使用状況に関する情報に基づいて、複数の最適なスクリーンを所持する画像記録装置の中から、スクリーンを切り替えることなく前記印刷ジョブを出力可能な画像記録装置を特定する請求項１乃至３のいずれか１項に記載の出力管理装置。
【請求項８】
最適なスクリーンを所持する画像記録装置が複数ある場合に、
前記出力装置情報取得部は、該複数の画像記録装置の各々から、ランニングコストに関する情報を更に取得し、または予め記憶している該複数の画像記録装置の各々のランニングコストに関する情報により、
前記出力装置特定部は、該現在のランニングコストに関する情報に基づいて、複数の最適なスクリーンを所持する画像記録装置の中から、スクリーンを切り替えることなく前記印刷ジョブを出力可能な画像記録装置を特定する請求項１乃至３のいずれか１項に記載の出力管理装置。
【請求項９】
印刷ジョブを処理して各ページのイメージデータを生成するイメージデータ生成装置を備えたフロントエンドプロセッサと、画像を記録媒体上に記録する複数の画像記録装置との間に設置される画像形成支援装置（バックエンドプロセッサ）であって、
前記複数の画像記録装置の各々から、各画像記録装置が所持するスクリーンに関するスクリーン情報を取得する出力装置情報取得部と、
印刷ジョブに含まれる画像データを分析して、最適なスクリーンを判別するための画像情報を取得する画像情報取得部と、
前記画像情報に基づいて該画像の出力に最適なスクリーンを判別し、前記スクリーン情報に基づいて複数の画像記録装置の中から判別されたスクリーンを所持する画像記録装置を出力装置として特定する出力装置特定部と、
を備えた画像形成支援装置。
【請求項１０】
画像を記録媒体上に記録する複数の画像記録装置と、印刷ジョブを処理して各ページのイメージデータを生成するイメージデータ生成装置を備えたフロントエンドプロセッサと、該フロントエンドプロセッサと前記複数の画像記録装置との間に設置され、前記フロントエンドプロセッサからの各ページのイメージデータを受け取り所定の画像記録装置へ送出して該画像記録装置を制御する画像形成支援装置と、で構成された画像形成システムであって、
前記画像形成支援装置が、
印刷ジョブを処理して各ページのイメージデータを生成するイメージデータ生成装置を備えたフロントエンドプロセッサと、画像を記録媒体上に記録する複数の画像記録装置との間に設置される画像形成支援装置（バックエンドプロセッサ）であって、
前記複数の画像記録装置の各々から、各画像記録装置が所持するスクリーンに関するスクリーン情報を取得する出力装置情報取得部と、
印刷ジョブに含まれる画像データを分析して、最適なスクリーンを判別するための画像情報を取得する画像情報取得部と、
前記画像情報に基づいて該画像の出力に最適なスクリーンを判別し、前記スクリーン情報に基づいて複数の画像記録装置の中から判別されたスクリーンを所持する画像記録装置を出力装置として特定する出力装置特定部と、
を備えた画像形成システム。
【発明の詳細な説明】
【技術分野】
【０００１】
本発明は、出力管理装置、画像形成支援装置、及び画像形成システムに係り、特に、複数の画像形成装置の中からジョブを出力する装置を特定する出力管理装置と、該出力管理装置の構成を備えた画像形成支援装置及び画像形成システムと、に関する。
【背景技術】
【０００２】
従来の印刷（例えばオフセット印刷）では、写植等の紙焼き（印画紙）、版下、網ネガ、網ポジ、ＰＳ版（刷版）等の中間成果物を生成し、これら中間成果物を元に印刷や製本等を行っていた。近年、ＤＴＰ（DeskTop Publishing /Prepress）の普及によって、ＤＴＰデータから直接印刷する「ダイレクト印刷」または「オンデマンド印刷」が知られている。ＤＴＰでは、ページレイアウトをコンピュータ上で処理して得た印刷データを印画紙や製版フィルム等に形成し、これに基づいて刷版を作成して印刷する処理が普及している。また、中間成果物を生成せずに電子データにより直接刷版を形成するＣＴＰ（Computer To Plate）も注目されている。このような印刷処理に用いることが可能なものとして、プリンタ装置や複写装置等の印刷機能を備えた画像形成装置が知られている。近年の画像形成装置は、画質向上が高まると共にカラー化され、例えば、電子写真プロセス（ゼログラフィ）を用いたカラープリンタ装置は、高品質かつ高速な画像形成が可能である。この画像形成装置では、印刷データを受け取り刷版等を生成せずに印刷物を出力することができる。
【０００３】
図５は、従来の画像形成システムの概略図である。図５（Ａ）に全体構成図を示すように、画像形成システムは、画像形成装置１１と、画像形成装置１１に印刷データを渡し印刷指示をするＤＦＥ（Digital Front End Processor）装置とから構成されている。また、図５（Ｂ）にはデータの流れを示した。
【０００４】
ＤＦＥ装置は、描画機能とプリンタコントローラ（印刷制御装置）機能とを備えており、例えばページ記述言語（ＰＤＬ：Page Description Language）で記述された印刷データをクライアント端末から順次受け取り、この印刷データをラスターイメージに変換（ＲＩＰ処理；Raster Image Process）し、さらにＲＩＰ処理済みのイメージデータ及び印刷枚数や用紙サイズ等の印刷制御情報（ジョブチケット）を画像形成装置１１に送り、画像形成装置１１のプリントエンジンや用紙搬送系を制御して、画像形成装置１１に印刷処理を実行させる。すなわち、画像形成装置１１の印刷動作は、ＤＦＥ装置によるプリンタコントローラによって制御される。印刷データは、カラー印刷用の基本色の、イエロ（Ｙ）、シアン（Ｃ）、マゼンタ（Ｍ）の３色と、ブラック（Ｋ）とを合わせた４色（ＹＭＣＫ）分が画像形成装置１１に送られる。
【０００５】
画像形成装置１１は、電子写真プロセスを利用して画像を印刷用紙に記録するもので、ＩＯＴ（Image Output Terminal）モジュール１２、ＩＯＴモジュール１２に連結されたフィードモジュール（ＦＭ；Feeder Module；給紙モジュール）５、出力モジュール１７、タッチパネル等を含んで各種データの入力支援をするためのユーザインターフェース装置１８、を備えている。ＩＯＴモジュール１２は、ＹＭＣＫ分のトナーカートリッジ２４が搭載されたトナー供給部２２と、ＩＯＴコア部２０とを有する。ＩＯＴコア部２０は、光走査装置や感光体ドラム等を有するプリントエンジン（印字ユニット）３０を色毎でかつベルト回転方向に一列に配置した所謂タンデム構成になっており、プリントエンジン３０を制御する電気回路等を収容する電気系制御収納部３９を備えている。ＩＯＴコア部２０では、感光体ドラム上のトナー像を中間転写ベルト４３に転写（１次転写）した後、トナー像を印刷用紙に転写（２次転写）することにより、ＹＭＣＫの各色トナー像が中間転写ベルト４３に多重転写される。中間転写ベルト４３上に転写された画像（トナー像）は、所定のタイミングでフィードモジュール１５から搬送されてきた印刷用紙上に転写され、定着器（Fuser）７０によりトナー像が用紙上に溶融定着される。その後、排紙処理装置７２を経由して機外へ排出される。また、両面印刷時には、片面に印刷済みの用紙が排紙トレイ（スタッカ）７４に一時的に保持され、排紙トレイ７４から引き出され、反転搬送路４９を介して反転されて再度ＩＯＴコア部２０に渡される。
【０００６】
このシステムを用いた場合、画像形成処理（プリント処理）の高性能化や高速化の要求（例えば、１００枚〜２００枚／分以上のカラー印刷）を実現するためには、画像形成装置の対応のみならず、ＲＩＰ処理や出力側の画像記録部に対する印刷制御部分であるプリンタコントローラも高速・高性能化が必要である。
【０００７】
ところが、ＤＦＥ装置は、クライアント端末からのＰＤＬデータに対するＲＩＰ処理だけでなく、印刷ジョブに従ったページ再配置（昇順／降順の並び替え、両面印刷時の処理ページ順決定、フィニッシャ対応の位置ずらし等）や、プリントエンジンや定着器等の出力側の処理特性に応じたデータ変換（例えばグレイバランスや色ズレ校正等）等の、付加処理も実行するようになっている。このため、ＤＦＥ装置と画像形成装置１１との間を専用の通信プロトコルで接続した専用かつ独立の装置構成を採用していた。
【０００８】
また、システムの高性能化や高機能化への展開を容易化するために、出力側に依存した制御をするプリンタコントローラ機能を備える画像形成支援装置（ＢＥＰ装置：Back End Processor）を配置することも考えられる。ＢＥＰ装置は、フロントエンドプロセッサにて画像記録装置の処理特性とは独立に処理されたイメージデータを受け取り、出力側の処理特性に応じて順次イメージデータを画像記録装置へ送るとともに、画像記録装置を制御して印刷処理をさせる。これにより、クライアントからの要求に基づく出力形態に適合した処理やリカバリ処理などをする際には、フロントエンドプロセッサと無関係に、対応することができる。
【０００９】
近年、複数台の画像形成装置がネットワーク上に接続された画像形成システムが種々提案されている。また、上述したＢＥＰ装置の後段に複数台の画像形成装置を接続した画像形成システムを構築することもできる。このような画像形成システムでは、どの装置で出力するかをコントローラ側で判断する必要がある。例えば、入力された画像データが白黒画像データとカラー画像データとを含む場合に、白黒画像データ量が多い場合は白黒出力機で出力し、カラー画像データ量が多い場合はカラー出力機で出力する方法も提案されている（特許文献１）。
【特許文献１】特開平８−７６９４９号公報
【発明の開示】
【発明が解決しようとする課題】
【００１０】
しかしながら、複数台の画像形成装置が接続されたシステムでは、出力可能な装置が複数台有る場合や、同じ機種が複数台接続されている場合があり、どの装置でジョブを出力するのが最適であるのかを判断することは困難になっている。例えば、近年では、カラー出力機が複数台接続されている場合もあるが、カラー出力機といっても機種により出力品質には差が有る。従って、引用文献１に記載されているように、白黒出力機とカラー出力機とを区別するだけでは、出力品質を考慮した出力を行うことはできない。
【００１１】
特に、出力品質を向上させるためには、画像に応じた適切なスクリーンを選択することが重要である。即ち、複数台の画像形成装置が接続されているシステムでは、装置ごとに所持されるスクリーンが異なっているのが通常（例えば、処理可能な解像度の相違やスクリーニング処理方法の相違）であり、最適なスクリーンを備えた画像形成装置を選択し、該装置からジョブを出力することが重要である。
【００１２】
また、最適なスクリーンを所持する装置であっても、該装置が複数のスクリーンを所持している場合には、ジョブの出力前にスクリーンの切り替えが必要になる場合もある。スクリーンを切り替える際には、スクリーン・マトリックスのダウンロードやセットアップ動作が必要になることもあり、ジョブを出力するまでに時間がかかってしまう。このような問題も含め、どの装置でジョブを出力するのが最適であるのかをユーザが判断することは非常に困難である。
【００１３】
また、上述したとおり、フロントエンドプロセッサとは別個にＢＥＰ装置を設けた場合にも、最適なスクリーンを備えた画像形成装置を選択することができなければ、画質の低下等の問題が発生し、実質的にシステムの高性能化や高機能化に対応できないという問題がある。
【００１４】
本発明は上記問題を解決すべく成されたものであり、本発明の目的は、画像に応じた最適なスクリーンを所持する画像記録装置を出力装置として特定することで、該装置からジョブを出力して、高画質な画像を形成することができる出力管理装置、画像形成支援装置、及び画像形成システムを提供することにある。
【課題を解決するための手段】
【００１５】
上記目的を達成するために本発明の出力管理装置は、印刷ジョブに含まれる画像データを分析して、最適なスクリーンを判別するための画像情報を取得すると共に、複数の画像記録装置の各々から、各画像記録装置が所持するスクリーンに関する情報を取得して、このスクリーン情報と画像情報とから、画像の出力に最適なスクリーンを所持する画像記録装置を出力装置として特定する。
【発明の効果】
【００１６】
本発明によれば、画像に応じた最適なスクリーンを所持する画像記録装置を出力装置として特定することができるので、該装置からジョブを出力して高画質な画像を形成することができる、という効果が得られる。
【発明を実施するための最良の形態】
【００１７】
まず、本発明の実施の形態を説明するに先立ち、本発明の態様を説明する。また、各種の技術事項の実施態様を含む態様も共に説明する。
【００１８】
〔態様〕
＜第１の態様＞は、出力管理装置に係り、画像を記録媒体上に記録する複数の画像記録装置の各々から、各画像記録装置が所持するスクリーンに関するスクリーン情報を取得する出力装置情報取得部と、印刷ジョブに含まれる画像データを分析して、最適なスクリーンを判別するための画像情報を取得する画像情報取得部と、前記画像情報に基づいて該画像の出力に最適なスクリーンを判別し、前記スクリーン情報に基づいて複数の画像記録装置の中から判別されたスクリーンを所持する画像記録装置を出力装置として特定する出力装置特定部と、を備えたことを特徴としている。
【００１９】
本態様では、出力装置情報取得部は、複数の画像記録装置の各々から各画像記録装置が所持するスクリーンに関するスクリーン情報を取得する。画像情報取得部は、印刷ジョブに含まれる画像データを分析して、最適なスクリーンを判別するための画像情報を取得する。出力装置特定部は、画像情報に基づいて該画像の出力に最適なスクリーンを判別し、スクリーン情報に基づいて複数の画像記録装置の中から判別されたスクリーンを所持する画像記録装置を出力装置として特定する。
【００２０】
このように、本態様では、各画像記録装置が所持するスクリーンに関するスクリーン情報（例えば、スクリーン線数）と、印刷ジョブに含まれる画像データを分析して得られる最適なスクリーンを判別するための画像情報（例えば、ドットの位置情報、解像度、オブジェクト種）とに基づいて、画像の出力に最適なスクリーンを判別し、複数の画像記録装置の中から判別されたスクリーンを所持する画像記録装置を特定するので、特定された装置からジョブを出力して高画質な画像を形成することができる。
【００２１】
＜第２の態様＞は、印刷ジョブを処理して各ページのイメージデータを生成するイメージデータ生成装置を備えたフロントエンドプロセッサと、画像を記録媒体上に記録する複数の画像記録装置との間に設置される画像形成支援装置（バックエンドプロセッサ）であって、前記複数の画像記録装置の各々から、各画像記録装置が所持するスクリーンに関するスクリーン情報を取得する出力装置情報取得部と、印刷ジョブに含まれる画像データを分析して、最適なスクリーンを判別するための画像情報を取得する画像情報取得部と、前記画像情報に基づいて該画像の出力に最適なスクリーンを判別し、前記スクリーン情報に基づいて複数の画像記録装置の中から判別されたスクリーンを所持する画像記録装置を出力装置として特定する出力装置特定部と、を備えたことを特徴としている。
【００２２】
本態様では、フロントエンドプロセッサと画像記録装置との間に設置される画像形成支援装置が上記の出力管理装置の構成を備えているので、出力管理装置と同様に、画像の出力に最適なスクリーンを判別し、複数の画像記録装置の中から判別されたスクリーンを所持する画像記録装置を特定することができ、特定された装置からジョブを出力して高画質な画像を形成することができる。
【００２３】
＜第３の態様＞は、画像を記録媒体上に記録する複数の画像記録装置と、印刷ジョブを処理して各ページのイメージデータを生成するイメージデータ生成装置を備えたフロントエンドプロセッサと、該フロントエンドプロセッサと前記複数の画像記録装置との間に設置され、前記フロントエンドプロセッサからの各ページのイメージデータを受け取り所定の画像記録装置へ送出して該画像記録装置を制御する画像形成支援装置と、で構成された画像形成システムであって、前記画像形成支援装置が、前記複数の画像記録装置の各々から、各画像記録装置が所持するスクリーンに関するスクリーン情報を取得する出力装置情報取得部と、印刷ジョブに含まれる画像データを分析して、最適なスクリーンを判別するための画像情報を取得する画像情報取得部と、前記画像情報に基づいて該画像の出力に最適なスクリーンを判別し、前記スクリーン情報に基づいて複数の画像記録装置の中から判別されたスクリーンを所持する画像記録装置を出力装置として特定する出力装置特定部と、を備えたことを特徴としている。
【００２４】
本態様では、フロントエンドプロセッサ、複数の画像記録装置、及び画像形成支援装置から構成される画像形成システムにおいて、画像形成支援装置が上記の出力管理装置の構成を備えているので、出力管理装置と同様に、画像の出力に最適なスクリーンを判別し、複数の画像記録装置の中から判別されたスクリーンを所持する画像記録装置を特定することができ、特定された装置からジョブを出力して高画質な画像を形成することができる。
【００２５】
〔実施形態〕
以下、図面を参照して本発明の実施の形態について詳細に説明する。
【００２６】
〔画像形成システム〕
図１は、本実施の形態に係る画像形成システムの全体概略構成を示す図である。画像形成システムは、汎用の通信プロトコルによる高速ＬＡＮ（Local Area Network）を備えており、高速ＬＡＮには例えばページ記述言語（ＰＤＬ）で記述された電子データ（印刷データ）を入力するためのクライアント端末４００，４０２が接続されている。クライアント端末４００，４０２は、異なるオペレーティングシステム（ＯＳ）下で各種アプリケーションプログラムを実行可能なコンピュータである。この高速ＬＡＮには、原稿の画像を読み取りその画像データを出力するスキャナ装置４１０も接続されている。また、高速ＬＡＮには、ＤＦＥ装置５００，５０２，５０４，５０６，５０８、詳細を後述する本発明の画像形成支援装置としてのＢＥＰ（Back End Processor：バックエンドプロセッサ）装置６００，６０２，６０４、電子データで直接刷版を作成するＣＴＰ装置７０２が接続されている。
【００２７】
ＣＴＰ装置７０２で作成された刷版を用いてプレス装置７１０において印刷がなされる。また、このＣＴＰ装置７０２に並列的に（高速ＬＡＮに）ＢＥＰ装置６０４が接続される。このＢＥＰ装置６０４には画像形成装置１１と同様の高速プリンタ７４６が接続される。
【００２８】
また、高速ＬＡＮに接続されたＢＥＰ装置６０４の出力側には、出力機７３０、同様の構成の高速プリンター７４０，７４２、ＣＴＰ装置７００が接続されている。出力機７３０、高速プリンター７４０、７４２からはプリント出力がなされ、ＣＴＰ装置７００では刷版が作成される。また、ＤＦＥ装置５０２は、ＢＥＰ装置６０２を介して同様の構成のプリンタプルーファ７２０，７２２に接続されている。プリンタプルーファ７２０，７２２は印刷のための出力確認用のものであり、画像形成装置一例として機能する場合がある。
【００２９】
また、ＤＦＥ装置５０４は高速プリンター７４４に接続され、ＤＦＥ装置５０４と高速プリンター７４４とはオンデマンド印刷処理を担当する部門を担っている。ＤＦＥ装置５０６は出力機７３２に接続され、ＤＦＥ装置５０８は大型出力機７５０に接続されている。ＤＦＥ装置５０６と出力機７３２からなる構成及びＤＦＥ装置５０８と大型出力機７５０からなる構成は、従来の画像形成装置の構成と同様である。
【００３０】
なお、本実施の形態の画像形成システムでは、ＣＴＰと、ＰＯＤ（プリントオンデマンド）の機能を有する装置を同一のシステム内に混在可能な構成である。これは、本実施の形態にかかるＢＥＰ装置が、クライアントからの印刷データがラスタデータに変換（ＲＩＰ処理）された後のデータを、各種処理する機能を備えているためである。
【００３１】
〔構成例〕
以下、説明を簡単にするために、上記の全体概略構成において、ＢＥＰ装置６０４の出力側に接続された複数の出力機を利用して画像を形成する画像形成システムについて説明する。
【００３２】
この画像形成システムは、図１に示すように、刷版を作成するＣＴＰ装置７００と、画像形成装置１１（出力機７３０、高速プリンター７４０，７４２）と、この画像形成装置１１に印刷データを渡し印刷指示をするＤＦＥ装置５００と、画像形成装置１１とＤＦＥ装置５００との間に設けられるＢＥＰ装置６０４と、から構成されている。この構成のシステムでは、図２（Ａ）に示すように、クライアント端末４００で印刷指示した画像をＤＦＥ装置５００でＲＩＰ処理して、ＲＩＰ処理された画像をＢＥＰ装置６０４を介して高速プリンタ７４０（画像形成装置１１）等で印刷する。
【００３３】
画像形成装置１１は、ＩＯＴモジュール（ＩＯＴ本体）２と、フィード（給紙）モジュール（ＦＭ；Feeder Module）５と、出力モジュール１７と、パソコン（ＰＣ）等のユーザインターフェース装置１８とを備える。なお、フィードモジュール１５は、多段構成としてもよい。また、必要に応じて、各モジュール間を連結する連結モジュールを設けてもよい。また、出力モジュール１７の後段に、フィニッシャ（Finisher：後処理装置）モジュールを接続してもよい。フィニッシャモジュールとしては、例えば、用紙をスタック処理し、１個所以上を綴じるステープラを備えたもの、またはパンチ孔を穿設するパンチング機構を備えたもの等がある。
【００３４】
ＤＦＥ装置５００は、クライアント端末４００からのデータをラスタデータに変換（ＲＩＰ処理）し、その変換後のラスタ画像を圧縮処理する機能を備えているが、本実施の形態では、画像形成装置１１に依存した印刷制御機能を果たすプリンタコントローラ機能を要求しない。すなわち、ＤＦＥ装置５００は、主にＲＩＰ処理を行う。このデータは、ＢＥＰ装置６０４により処理されて画像形成装置１１へ出力される。
【００３５】
ＢＥＰ装置６０４は、画像形成装置１１に依存した処理の制御機能を有するが、この制御機能は、ユーザインターフェース装置１８により指示してもよく、予め定めておいてもよい。ユーザインターフェース装置１８により指示する場合、ユーザインターフェース装置１８は、図２（Ｂ）に示すように、キーボード等の入力デバイスやユーザに画像を提示しつつ指示入力を受け付けるＧＵＩ（Graphic User Interface）部８０を備えており、このＧＵＩ部８０から画像形成装置１１に依存した処理を指示するように構成すればよい。
【００３６】
また、ＢＥＰ装置６０４は、ＤＦＥ装置に保持しておいたＲＩＰ処理済みのデータを利用することで、効率的な高速出力を可能としている。すなわち、ＢＥＰ装置６０４は、ＤＦＥ装置５００から受け取った印刷制御情報に基づいてコマンドコード（Command Code）を生成し、画像形成装置１１内の各部の処理タイミングをエンジン特性に応じて制御する。また、ＢＥＰ装置６０４は、ＩＯＴモジュール１２やフィードモジュール１５または出力モジュール１７等のエンジン特性に適合するようにスプール（Spool）処理を完結させてからＩＯＴモジュール１２に画像データを渡す。
【００３７】
例えば、ＤＦＥ装置５００からＢＥＰ装置６０４には、ＲＩＰ処理が施されたラスタベース画像を含むデータが送られる。このデータとしては、ＴＩＦＦ（Tagged Image File Format）フォーマット等の圧縮されたラスタベースの画像ファイルデータの他、印刷部数、両面／片面、カラー／白黒、合成印刷、ソートの有無、ステープラの有無等印刷制御情報等が含まれる。
【００３８】
なお、回転（Rotation）、１枚の用紙内へのページ割付（Ｎ−ＵＰ）、リピート処理、用紙サイズ合わせ、デバイス差を補正するＣＭＳ（Color Management System；カラー管理システム）、解像度変換、コントラスト調整、圧縮率指定（低／中／高）等のＲＩＰ処理と関わりのある処理は、ＤＦＥ装置５００にて処理し、その制御コマンドをＢＥＰ装置６０４へは通知しない（非通知）。
【００３９】
また、コレーション（帳合い）、両面印刷、スタンプ・パンチ・ステープラ等のフィニッシャ装置または用紙トレーと関わりのある位置合わせ処理、排出面（上下）合わせ、グレーバランスや色ズレ補正等のキャリブレーション処理、スクリーン指定処理等、画像形成装置１１の処理特性と関わりの強いもの（ＩＯＴ依存の処理）に関しては、その制御コマンドをＤＦＥ装置５００がスルーすることで、ＢＥＰ装置６０４にて処理する。
【００４０】
このように、本実施形態のＤＦＥ装置側は１つのジョブ（ＪＯＢ）をエンジン特性に依存せずＲＩＰ処理した順にＢＥＰ装置側へ一方的に転送し、ＢＥＰ装置側で印刷用にページ再配置をする。
【００４１】
なお、上記構成では、刷版を作成するＣＴＰ装置７００がＢＥＰ装置６０４を介してＤＦＥ装置５００に接続されている。この場合には、ＤＦＥ装置５００からの印刷データによりＢＥＰ装置６０４において画像形成装置１１などの下流側装置に依存する処理を行ってデータ出力する。この下流側装置として、ＣＴＰ装置７００を採用したときに、ＢＥＰ装置６０４は、そのＣＴＰ装置７００に依存する処理を行ってデータ出力する。
【００４２】
図３は、ＤＦＥ装置５００と画像形成装置１１との間にＢＥＰ装置６０４を介在させたときのデータの流れに着目した概念ブロック図である。
【００４３】
ＤＦＥ装置５００は、クライアント端末４００からＰＤＬで記述された印刷データ（以下ＰＤＬデータという）を受け取り、そのＰＤＬデータを一旦順次格納するデータ格納部５０２と、データ格納部５０２からＰＤＬデータを読み出して解釈しページ単位のイメージデータ（ラスタデータ）を生成（ラスタライズ）するＲＩＰ処理部５１０と、このＲＩＰ処理部５１０にて生成されたイメージデータを所定のフォーマットにしたがって圧縮する圧縮処理部５３０とを備える。この圧縮処理部５３０の後段には、インターフェース部５４２が設けられている。ＲＩＰ処理部５１０では、ＰＤＬデータを展開してイメージデータを生成するため、ＲＩＰ処理部５１０には、ＰＤＬ解釈部およびイメージャとして機能するデコンポーザ、所謂ＲＩＰエンジンが組み込まれている。また、ＲＩＰ処理部５１０は、ＰＤＬデータを読み出した場合には、その旨を後述する画像情報取得部６３２に通知する。圧縮処理部５３０は、ＲＩＰ５１０からのイメージデータを圧縮し、圧縮済のイメージデータをＢＥＰ装置６０４へ即時に転送する。
【００４４】
一方、ＢＥＰ装置６０４は、ＤＦＥ装置５００にて印刷ジョブやプリントエンジン３０の処理特性に無関係に処理された（例えばプリントエンジン３０の処理速度に非同期で処理された）圧縮済のイメージデータを受け取り保持する画像記憶部６０２と、画像記憶部６０２から圧縮済のイメージデータを読み出して、ＤＦＥ装置５００側の圧縮済のイメージデータを読み出して、ＤＦＥ装置５００側の圧縮処理部５３０の圧縮処理に対応する伸張処理をし、この伸張処理済のイメージデータをＩＯＴコア部２０側に送出する伸張処理部６１０を備える。この伸張処理部６１０は、画像記憶部６０２から読み出し伸張処理したイメージデータに対して、画像回転や用紙上の画像位置の調整、または拡大もしくは縮小等、の画像編集機能を備えている。画像記憶部６０２の前段には、データ受信部６０１が設けられ、伸張処理部６１０の後段には、出力側のインターフェース部６５０が設けられている。
【００４５】
また、ＢＥＰ装置６０４は、ＩＯＴコア部２０の処理性能に依存してＢＥＰ装置６０４の各部やＩＯＴコア部２０を制御するプリンタコントローラとして機能する印刷制御部６２０と、ジョブを出力する画像形成装置１１を管理する出力管理部６３０と、を備えている。
【００４６】
印刷制御部６２０は、ＤＦＥ装置５００からのジョブチケットを解釈（デコード）、またはＧＵＩ部８０を介したユーザ指示を受けて、プリントエンジン３０や定着器７０またはフィニッシャの処理特性に応じて出力形態（ページ内の画像位置、またはページ排出順や向き等）を特定する出力形態特定部６２２と、特定した出力形態で印刷物が出力されるように、プリントエンジン３０や定着器７０またはフィニッシャ等の各部を制御する制御部６２４とを備えている。出力形態特定部６２２は、クライアントが希望する出力形態に関する情報を受け付ける出力形態情報収得部としての機能を備えている。
【００４７】
出力管理部６３０は、印刷ジョブに含まれる画像データを分析して、最適なスクリーンを判別するための画像情報を取得する画像情報取得部６３２と、複数の画像形成装置１１の各々から各装置が所持するスクリーンに関するスクリーン情報を取得する出力装置情報取得部６３４と、得られた画像情報に基づいて該画像の出力に最適なスクリーンを判別すると共に、得られたスクリーン情報に基づいて複数の画像形成装置１１の中から判別されたスクリーンを所持する装置を出力装置として特定する出力装置特定部６３６とを備えている。
【００４８】
従って、ＤＦＥ装置５００では、ＲＩＰ処理部５１０にてページ記述言語からラスタライズされた（描画展開された）イメージデータは、ＢＥＰ装置６０４側へページ順に転送される。ＢＥＰ装置６０４は、ＤＦＥ装置５００から転送されたイメージデータを、一旦バッファとして機能する画像記憶部６０２に蓄積する。伸張処理部６１０は、画像記憶部６０２から圧縮済のイメージデータを読み出して伸張処理するとともに、クライアント端末やＤＦＥ装置５００から指定された印刷ジョブに従ってページデータを組み立てたり（ページデータの再配置）、指示されたプリントエンジンへの転送準備をしたりする。そして、ＢＥＰ装置６０４では、プリントエンジン３０の処理速度に同期して制御コマンドをやり取りしながら、エンジン生産性を最大限生かす速度でページデータを所定の順にＩＯＴコア部２０に送出する。
【００４９】
このように、ＤＦＥ装置５００側は１つのジョブ（ＪＯＢ）をエンジン特性に依存せずＲＩＰ処理した順にＢＥＰ装置６０４側へ一方的に転送すればよい。そして、ＢＥＰ装置６０４が、印刷用にページ再配置をする等印刷ジョブやプリントエンジン３０に依存した処理を担当する。
【００５０】
本構成では、ＲＩＰ処理に関わる処理はＤＦＥ装置で行うが、ＲＩＰ処理のやり直しが必要な際には、ＤＦＥ装置５００へ再ＲＩＰ処理を要求することなく（ＤＦＥ装置５００とは独立に）、画像記憶部６０２に保持しておいたデータを再利用する。これにより、ＤＦＥ装置５００にての再ＲＩＰ処理が不要となる。また、プリントエンジン等出力側の処理特性に適応する性能を持ちプリントエンジン３０等と接続されたＢＥＰ装置６０４にて、出力側の処理特性に依存する処理をすることができる。
【００５１】
例えば、クライアントが希望する出力形態にて出力する場合において、出力側の処理特性に依存する処理を必要とする一例で、ＲＩＰ処理と関わりのある再処理としては、１枚の用紙内へのページ割付（N-UP）、リピート処理、用紙サイズ合わせ、デバイス差を補正するＣＭＳ（Color Management System；カラー管理システム）、解像度変換、コントラスト調整、圧縮率指定（低／中／高）等がある。
【００５２】
また、出力側である画像形成装置１１（例えばプリントエンジン）の処理特性に依存した処理（出力側の処理特性と関わりの強い依存処理）が必要となる場合の一例としては、画像回転（Rotation）、コレーション（Collation；帳合い）、両面印刷、スタンプ・パンチ・ステープラ等のフィニッシャ装置または用紙トレーと関わりのある位置合わせ処理（shift；画像シフト）、排出面（上下）合わせ、グレーバランスや色ズレ補正等のキャリブレーション処理、スクリーン指定処理等がある。
【００５３】
図４は、本実施形態のシステムの利用形態例の説明図である。図４（Ａ）は、クライアント指示に基づく出力形態との関わりにおけるバックエンドプロセッサの処理の説明図、図４（Ｂ）は、出力側に異常が発生した場合のバックエンドプロセッサの処理の説明図である。
【００５４】
図４（Ａ）の第１項目に示すように、出力形態情報取得部の機能を備えた出力形態特定部６２２がクライアントが希望する出力形態に関する情報として両面出力指示を示す情報を受け付けた際には、制御部６２４は、出力側であるプリントエンジン３０や定着器７０等の処理特性に依存したシーケンス順に片面イメージを順に生成してプリントエンジン３０側に出力するよう、ＢＥＰ装置６０４内の伸張処理部６１０を制御する。これにより、出力側の処理特性に依存したシーケンス順に両面イメージが生成されることになる。
【００５５】
例えば、ＢＥＰ装置６０４は、ＤＦＥ装置５００を経由して指定された両面排出指示（クライアントの指示）を元に、プリントエンジン３０側のベルトに載るシーケンス順にイメージをプリントエンジン３０へ出力する。より具体的には、ＤＦＥ装置５００は、１枚目表（Ｐ１Ｔ）→１枚目裏（Ｐ１Ｂ）→２枚目表（Ｐ２Ｔ）→２枚目裏（Ｐ２Ｂ）→３枚目表（Ｐ３Ｔ）→３枚目裏（Ｐ３Ｂ）→…というように順にＲＩＰ処理し、生成したイメージデータを順にＢＥＰ装置６０４に送出する。
【００５６】
これに対して、ＢＥＰ装置６０４では、１枚目表（Ｐ１Ｔ）→２枚目表（Ｐ２Ｔ）→３枚目表（Ｐ３Ｔ）→４枚目表（Ｐ４Ｔ）→５枚目表（Ｐ５Ｔ）→１枚目裏（Ｐ１Ｂ）→６枚目表（Ｐ６Ｔ）→２枚目裏（Ｐ２Ｂ）→７枚目表（Ｐ７Ｔ）→３枚目裏（Ｐ３Ｂ）→…、というようなシーケンスが有り得る。この並び順は、装置の印刷速度に関わる処理特性によって異なる。
【００５７】
また、図４（Ａ）の第２項目に示すように、ＤＦＥ装置５００は、ページごとに、Ｙ（イエロ）、Ｍ（マゼンタ）、Ｃ（シアン）、Ｋ（ブラック）の各色成分を並行してＲＩＰ処理し、ページごとにＹＭＣＫのイメージデータをＢＥＰ装置６０４に送出する。この場合において、プリントエンジン３０が、Ｙ→Ｍ→Ｃ→Ｋの順に処理する４サイクルエンジンである場合、ＢＥＰ装置６０４は、基本的には、（片面印刷時）、１枚目Ｙ（イエロ）→１枚目Ｍ（マゼンタ）→１枚目Ｃ（シアン）→１枚目Ｋ（ブラック）→２枚目Ｙ→２枚目Ｍ→２枚目Ｃ→２枚目Ｋ→…というように、処理対象ページの並替え処理をする。
【００５８】
また、両面印刷を組み入れる場合には、図４（Ａ）の第３項目に示すように、ＤＦＥ装置５００は、ページごとに表→裏の順に、すなわち１枚目表（Ｐ１ＹＭＣＫＴ）→１枚目裏（Ｐ１ＹＭＣＫＢ）→２枚目表（Ｐ２ＹＭＣＫＴ）→２枚目裏（Ｐ２ＹＭＣＫＢ）→…の順に、イメージデータをＢＥＰ装置６０４に送出する。これに対応して、ＢＥＰ装置６０４は、例えば１枚目Ｙ表（Ｐ１ＹＴ）→１枚目Ｍ表（Ｐ１ＭＴ）→１枚目Ｃ表（Ｐ１ＣＴ）→１枚目Ｋ表（Ｐ１ＫＴ）→２枚目Ｙ表（Ｐ２ＹＴ）→２枚目Ｍ表（Ｐ２ＭＴ）→１枚目Ｙ裏（Ｐ１ＹＢ）→２枚目Ｃ表（Ｐ２ＹＴ）→１枚目Ｍ裏（Ｐ１ＭＢ）→２枚目Ｋ表（Ｐ２ＫＴ）→…、という順に並び替えて処理する。
【００５９】
このように、ＤＦＥ装置５００側に影響を与えることなく（ＤＦＥ装置５００に負荷を与えることなく）、出力側の処理特性（プリントエンジンの構成形態も含む）に応じて、ＢＥＰ装置６０４側で、その装置に適合したシーケンス順にイメージ形成を制御することができる。
【００６０】
また、図４（Ａ）の第４項目に示すように、出力形態情報取得部の機能を備えた出力形態特定部６２２がクライアントが希望する出力形態に関する情報としてコレーションに関わる指示を示す情報を受け付けた際には、制御部６２４は、出力側（画像記録部）の処理特性に依存した排出面に応じてコレーションの処理をするよう、ＢＥＰ装置６０４内の伸張処理部６１０を制御する。これにより、出力側の排出処理特性に依存することなく、クライアントが希望する向きで印刷物を排出することができる。
【００６１】
例えば、排出面指示として、上向きＦＵ（FACE up）及び下向きＦＤ（FACE down）の何れか一方を選択指示が可能な場合、下向きＦＤ時に出来上がりがページ順になっているためには、普通通りジョブの最初のページから出力すればよい。しかし、上向きＦＵ時に出来上がりがページ順になっているためには、ジョブの最後ページから出力（処理対象ページの並替え）が必要となる。本実施形態のＢＥＰ装置６０４は、画像記憶部６０２から所望のページを読み出して処理できるので、ＢＥＰ装置６０４は、ＤＦＥ装置５００側に影響を与えることなく（ＤＦＥ装置５００に負荷を与えることなく）、画像記憶部６０２からページを並び替えて読み出して伸張処理してプリントエンジン３０へ出力することができる。
【００６２】
また、図４（Ａ）の第５項目に示すように、出力形態情報取得部の機能を備えた出力形態特定部６２２がクライアントが希望する出力形態に関する情報として閉じ位置に関わる指示を示す情報を受け付けた際には、制御部６２４は、出力側（画像記録部）の処理特性に依存した閉じ位置調整をするよう、バックエンドプロセッサＢＥＰ６００内の伸張処理部６１０を制御する。
【００６３】
従って、スタンプ、ステープラ、またはパンチ穴等のフィニッシャ装置（オプション）が付いた場合にも、ＤＦＥ装置５００側に影響を与えることなく（ＤＦＥ装置５００に負荷を与えることなく）、それらの押される場所に応じて、ＢＥＰ装置６０４で画像回転（ローテーション）や位置ずらし（シフト）等の画像編集処理をして、プリントエンジン３０側へ位置調整されたイメージデータを送出することができる。
【００６４】
なお、用紙上の画像位置を合わせると、その移動量によっては、元画像の一部が用紙からはみ出したり、はみ出さないものの印字されない部分（いわゆる像欠け）が生じることがある。このような場合、画像サイズを少し縮小（サイズ整合処理）し、この縮小済みのイメージデータをプリントエンジン３０側に送出するようにしてもよい。なお、縮小は、位置ずらしに起因する縦／横の必要な方向に対してのみ施してもよい（独立縮小）。
【００６５】
また、図４（Ｂ）に示すように、印刷ジョブの処理過程において出力詰まり現象が生じた際には、制御部６２４は、出力側（画像記録部）の処理特性に依存した出力詰まりに対するリカバリ処理をするよう、バックエンドプロセッサ内の各機能部分を制御する。
【００６６】
例えば、ＩＯＴモジュール１２や出力モジュール１７側で印刷用紙の詰まり（紙詰まり）や電源オフ等によりイメージが排出できなかった場合、ＢＥＰ装置６０４は、画像記憶部６０２から未出力の所望のページ（未処理ページ）を読み出してプリントエンジン３０側に送出させる。これにより、ＤＦＥ装置５００側に影響を与えることなく（ＤＦＥ装置５００に負荷を与えることなく）、ＢＥＰ装置６０４側だけでリカバリ処理を実現することができる。
【００６７】
なお、ＢＥＰ装置によりプルーファを構成する場合、高速高機能の画像形成装置１１によるダイレクト印刷に先立って、ＤＴＰデータから直接カラー校正用プリントの出力を例えばプリンタプルーファ７２０にて行うＤＤＣＰ（Digital Direct Color Proofing）システムを構築することができる。このシステムで、ＢＥＰ装置は、印刷ジョブとしてプルーフデータを受け取るとプルーフィングに適したデータ形式（例えば低ビデオレート等）の画像データをプルーファに出力してカラー校正用プリント出力を指令する一方、通常の印刷ジョブを受け取ると、高速高性能マシンに高ビデオレートの画像データを出力して高速高機能の印刷指示を出力する。この場合、高速高機能マシンとプルーファまたは縦連接続された機種との間の異なるカラー出力の微妙な差異（デバイス差）を補正するＣＭＳ（Color Management System；カラー管理システム）を搭載することが望ましい。
【００６８】
次に、本実施形態の画像形成システムの出力管理動作について説明する。
【００６９】
このシステムの画像形成装置１１（出力機７３０、高速プリンター７４０，７４２）の各々は、下記表１に示すように、機種に応じたスクリーンを所持している。
【００７０】
【表１】
2005267264.tif 000003
【００７１】
例えば、高速プリンター７４０は、解像度が６００ｄｐｉ（dot per inch）で、スクリーン線数が各々１５０ｌｐｉ（line per inch），２００ｌｐｉ，３００ｌｐｉ，６００ｌｐｉの４種類のスクリーンを所持しており、出力する画像に応じてスクリーンを切り替えている。また、プロセススピードは５０ｐｐｍ（page per min）である。
【００７２】
以下、図６を参照して、所定の画像形成装置にジョブの出力を指示するための処理ルーチンについて説明する。この処理ルーチンは、出力管理部６３０の出力装置特定部６３６で実行される。
【００７３】
ＤＦＥ装置５００のＲＩＰ処理部５１０のＰＤＬデータの読み出しと同期して、その旨を通知する信号がＢＥＰ装置６０４の画像情報取得部６３２に入力される。画像情報取得部６３２は、その信号を受け取ると、データ格納部５０２から同じＰＤＬデータを読み出す。そして、読み出したＰＤＬデータを解析して、原稿をより忠実に再現するのに好適なスクリーンを判別するための画像情報を取得し、該画像情報を出力装置特定部６３６に出力する。このような画像情報としては、ドットの位置情報、解像度、写真画像や文字画像といったオブジェクト種等がある。
【００７４】
また、各々の画像形成装置１１のＩＯＴコア部２０は、予め画像形成装置１１が所持するスクリーンに関する情報（スクリーン情報）をＢＥＰ装置６０４に通知する。スクリーン情報としては、例えば、解像度やスクリーン線数等が挙げられる。更に、各々の画像形成装置１１のＩＯＴコア部２０は、スクリーンが切り替わる毎に、現在のスクリーン状態に関する情報（現在のスクリーン情報）をＢＥＰ装置６０４に通知する。通知されたスクリーン情報は、出力装置情報取得部６３４に順次格納される。
【００７５】
ステップ１００で、画像情報取得部６３２に画像情報が入力されたと判断されると、ステップ１０２で、入力された画像情報に基づいて、この画像を出力するのに好適なスクリーンを判別する。すなわち、原稿をより忠実に再現できるスクリーンを判別する。一方、ステップ１０４で、出力装置情報取得部６３４からこのシステムに接続された画像形成装置各々のスクリーン情報を読み出し、ステップ１０６で、読み出されたスクリーン情報から、上記の好適なスクリーンを備え、原稿を再現性良く出力可能な画像形成装置を抽出する。
【００７６】
例えば、入力された画像が写真画像である場合は、解像度が低く階調を重視した（多階調の）スクリーンを備えた装置が必要になり、入力された画像が文字文書である場合は、解像度が高いスクリーンを備えた装置が必要になる。また、写真画像と文字文書とが混在する場合には、２種類のスクリーンを備えた装置が必要になる。
【００７７】
ステップ１０２で、入力された写真画像を出力するのに、スクリーン線数１００〜２００のスクリーンが好適であると判断されたと仮定すると、ステップ１０６では、このシステムの画像形成装置の中から、線数１７５のスクリーンを備えた出力機７３０と、線数１５０、２００のスクリーンを備えた高速プリンター７４０の２台の出力装置が抽出される。
【００７８】
次に、ステップ１０８で、抽出された画像形成装置が複数あるか否か、すなわち、高画質な画像を出力可能な画像形成装置が複数あるか否かを判断する。１台しか無い場合は、ステップ１１４で、その画像形成装置からジョブを出力するように印刷制御部６２０に指示して、ルーチンを終了する。
【００７９】
一方、上記の例のように、出力可能な画像形成装置が複数ある場合は、ステップ１１０で、更に他の条件を考慮して出力装置を絞り込んで特定し、ステップ１１２で、特定された画像形成装置からジョブを出力するように印刷制御部６２０に指示して、ルーチンを終了する。他の条件としては、スクリーンの切り替えを行わずにすぐに出力が可能か否か、トナー等の消耗品の消耗度合い、プロセススピード、使用頻度、使用状況、ランニング・コスト等が挙げられる。他の条件に優先順位を付けて段階的に出力装置を絞り込んでもよい。
【００８０】
例えば、トナー等の消耗品の消耗度合いに関する情報から、当分、消耗品の交換が無い装置を選択したり、プロセススピード情報から高速で出力可能な装置を選択したり、ランニング・コスト情報から安価に出力可能な装置を選択するなど、種々の絞り込みを行いながら出力装置を特定することができる。
【００８１】
以上説明した通り、入力された画像データを解析して得られた画像情報から、原稿を忠実に再現するのに好適なスクリーンを判別し、このスクリーンを備えた画像形成装置にジョブを出力するので、高画質な画像を得ることができる。
【００８２】
また、好適なスクリーンを備えた画像形成装置が複数ある場合には、スクリーンを切り替えずに出力可能な装置を選択して出力することで、短時間でジョブを実行することができる。
【００８３】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【００８４】
例えば、上記ではプリンタコントローラとして機能するＢＥＰ装置が出力管理部を備える実施の形態について説明したが、本発明は画像形成装置が所持するスクリーンに関する情報を考慮してジョブを出力する画像形成装置を特定する点に特徴があり、ＲＩＰ処理機能とプリンタコントローラとしての機能とを兼ね備えた従来のＤＦＥ装置にも適用することができる。
【００８５】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【００８６】
なお、圧縮／伸張の処理に際しては、線画や文字等主に２値で表される画像オブジェクト（線画文字オブジェクトＬＷ（Line Work））と背景部や写真部等主に多階調で表される画像オブジェクト（多階調画像オブジェクトＣＴ（Continuous Tone））等、画像オブジェクトの特性に応じて、適応した処理とすることもできる。
【図面の簡単な説明】
【００８７】
【図１】本実施の形態に係る画像形成システムの全体構成を示す概略図である。
【図２】画像形成システムの一実施形態を示す図である。
【図３】ＤＦＥ装置およびＢＥＰ装置の一実施形態を示すブロック図である。
【図４】上記実施形態に関わるシステム利用形態の説明図である。
【図５】従来の画像形成システムの概略を示す図である。
【図６】所定の画像形成装置にジョブの出力を指示するための処理ルーチンを示すフローチャートである。
【符号の説明】
【００８８】
ＬＡＮ…高速
１１…画像形成装置
４００…クライアント端末
５００…ＤＦＥ装置
６００…ＢＥＰ装置
７００…ＣＴＰ装置
７１０…プレス装置
７２０…プリンタプルーファ
７３０…出力機
７４０…高速プリンター
７５０…大型出力機
【図１】
2005267264.tif 000004
【図２】
2005267264.tif 000005
【図３】
2005267264.tif 000006
【図４】
2005267264.tif 000007
【図５】
2005267264.tif 000008
【図６】
2005267264.tif 000009